【手続補正書】
【提出日】平成19年3月19日(2007.3.19)
【手続補正１】
【補正対象書類名】明細書
【補正対象項目名】特許請求の範囲
【補正方法】変更
【補正の内容】
【特許請求の範囲】
【請求項１】  透明性基板表面に太陽電池が形成されており、当該太陽電池は、当該透明性基板の透明性の大部分を阻害しないように細幅の線条体形状を有し、且つ当該太陽電池は、当該透明性基板の少なくとも一方の主面上に突出する様に形成されている太陽電池モジュールで有って、更に、太陽光線が、当該太陽電池に入射する際に、当該太陽電池のかなりの部分に発生する特定の色調を調整する色調調整手段が設けられている事を特徴とする太陽電池モジュール。
【請求項２】  当該太陽電池の当該透明性基板からの突出高さは、当該太陽電池の両側でその長手方向に形成された両側壁部に於ける高さの和が、当該太陽電池の長手方向と直交する断面に於ける、当該透明性基板から突出した部分で当該透明性基板と略平行する部分の長さと、その両側に於ける側壁に相当する高さの和との合計値に対して１％〜３０％となる様に構成されている事を特徴とする請求項１に記載の太陽電池モジュール。
【請求項３】  当該太陽電池に於ける当該透明性基板から突出した部分は、透明な第１の保護膜で被覆されている事を特徴とする請求項１又は２に記載の太陽電池モジュール。
【請求項４】  当該太陽電池は、当該透明性基板に当接する部分に配置されている透明な第１の電極層と、当該透明な第１の電極層に当接して設けられた発電層と当該発電層に当接して設けられた金属層からなる電極層若しくは透明電極層とで構成された第２の電極層とで構成されている事を特徴とする請求項１乃至３の何れかに記載の太陽電池モジュール。
【請求項５】  当該太陽電池の当該透明性基板であって、当該太陽電池が設けられていない面に第２の保護膜が設けられている事を特徴とする請求項１乃至４の何れかに記載の太陽電池モジュール。
【請求項６】  当該色調調整手段は、当該第１の保護膜、当該第２の保護膜或いは当該太陽電池を構成する当該第１の電極層の少なくとも一つに設けられている事を特徴とする請求項１乃至５の何れかに記載太陽電池モジュール。
【請求項７】  当該太陽電池の側壁部は、光入射部を構成する事を特徴とする請求項１乃至６の何れかに記載の太陽電池モジュール。
【請求項８】  当該色調調整手段は、当該太陽電池を構成する発電層が主に吸収する光波長帯域で、高い光透過率を示す機能を有する材料で構成されている事を特徴とする請求項１乃至７の何れかに記載の太陽電池モジュール。
【請求項９】  当該色調調整手段は、当該太陽電池を構成する発電層で主に透過率の高い光波長帯域で、高い光吸収率を示す機能を有する材料で構成されている事を特徴とする請求項１乃至７の何れかに記載の太陽電池モジュール。
【請求項１０】  当該色調調整手段は、第１若しくは第２の透明樹脂或いは当該太陽電池を構成する当該第１の電極層を構成する透明ＩＴＯ導電性膜にシアン系の顔料或いは色素を混入させたもので構成されている事を特徴とする請求項１乃至９の何れかに記載の太陽電池モジュール。
【請求項１１】  複数の当該細幅の線条体は、互いに平行に若しくは所定の間隔を介して互いに隣接して配置されている事を特徴とする請求項１乃至１０の何れかに記載の太陽電池モジュール。
【請求項１２】  当該細幅の線条体は、直線もしくは曲線で構成されている事を特徴とする請求項１乃至１１の何れかに記載の太陽電池モジュール。
【請求項１３】  当該透明性基板上に形成された当該複数個の当該細幅の線条体群は、互いに並列的に接続されている事を特徴とする請求項１乃至１２の何れかに記載の太陽電池モジュール。
【請求項１４】  当該透明性基板上に形成された当該複数個の当該細幅の線条体群は、互いに異なる複数の組に分割され、当該それぞれの組を構成する複数の細幅の線条体同志は、互いに並列的に接続されており、且つ当該複数の組同志は、互いに直列的に接続されている事を特徴とする請求項１乃至１３の何れかに記載の太陽電池モジュール。
【請求項１５】  当該一の組を構成する互いに並列的に配置されている複数の細幅の線条体は、他の組を構成する互いに並列的に配置されている複数の細幅の線条体と互いインタリーブ状に嵌入しあう様に配置せしめられている事を特徴とする請求項１４に記載の太陽電池モジュール。
【請求項１６】  当該一の組を構成する互いに並列的に配置されている複数の細幅の線条体は、他の組を構成する互いに並列的に配置されている複数の細幅の線条体とその配列方向が互いに異なる様に配置せしめられている事を特徴とする請求項１４又は１５項に記載の太陽電池モジュール。
【請求項１７】  情報表示手段の情報表示面の大部分が太陽電池を有する透明性基板によって被覆されている電子機器であって、当該太陽電池は、請求項１乃至１６のいずれか１項に記載された太陽電池モジュールを含んでいる事を特徴とする電子機器。
【請求項１８】  当該太陽電池は、当該透明性基板の少なくとも一方の主面上に突出する様に形成されていると共に、当該太陽電池を含む当該透明性基板は、当該情報表示手段に対して、光源の入射方向側に配置されて且つ、当該透明性基板から突出して形成された当該太陽電池は、当該透明性基板に於ける当該情報表示手段に対向する面に形成されている事を特徴とする請求項１７に記載の電子機器。
【請求項１９】  当該太陽電池は、当該透明性基板の少なくとも一方の主面上に突出する様に形成されていると共に、当該太陽電池を含む当該透明性基板は、当該情報表示手段に対して、光源の入射方向側に配置されて且つ、当該透明性基板から突出して形成された当該太陽電池は、当該透明性基板に於ける当該情報表示手段に対向する面とは反対の面に形成されている事を特徴とする請求項１７に記載の電子機器。
【請求項２０】  当該情報表示手段は、液晶表示手段、数字、画像盤、或いは時計の文字盤等から選択された一つである事を特徴とする請求項１７乃至１９項の何れかに記載の電子機器。
【請求項２１】  当該電子機器は時計である事を特徴とする請求項２０至に記載の電子機器。
【請求項２２】  当該情報表示手段の表面は、入射された光を反射しうる様に構成されている事を特徴とする請求項１７乃至２１項の何れかに記載の電子機器。
【手続補正２】
【補正対象書類名】明細書
【補正対象項目名】００３５
【補正方法】変更
【補正の内容】
【００３５】
【課題を解決するための手段】
本発明は上記した目的を達成するため、以下に記載されたような技術構成を採用するものである。即ち、透明性基板表面に太陽電池が形成されており、当該太陽電池は、当該透明性基板の透明性の大部分を阻害しないように細幅の線条体形状を有し、且つ当該太陽電池は、当該透明性基板の少なくとも一方の主面上に突出する様に形成されている太陽電池モジュールで有って、更に、太陽光線が、当該太陽電池に入射する際に、当該太陽電池のかなりの部分に発生する特定の色調を調整する色調調整手段が設けられている事を特徴とする太陽電池モジュールである。
【手続補正３】
【補正対象書類名】明細書
【補正対象項目名】００３６
【補正方法】変更
【補正の内容】
【００３６】
本発明に於ける別の態様としては、上記した太陽電池モジュールを含む電子機器であって、当該電子機器の情報表示手段の情報表示面の大部分が太陽電池を有する透明性基板によって被覆されている事を特徴とする電子機器である。
即ち、本発明に係る当該電子機器に於いては、当該太陽電池を含む当該透明性基板は、当該情報表示手段に対して、光の入射方向側に配置されて且つ、当該透明性基板から突出して形成された当該太陽電池は、当該透明性基板に於ける当該情報表示手段に対向する面に形成されているか又はその反対の面に形成されている電子機器である。
【手続補正４】
【補正対象書類名】明細書
【補正対象項目名】００３８
【補正方法】削除
【補正の内容】